(57)【要約】【課題】磯焼け海域では匍匐性動物のウニなどの食圧を防ぎ、海藻群落を再生させる場合、ウニやアワビの養殖施設は、衝壁物の上部に下側が開放されたポケット状の空気溜りを有する施設のほか、電気柵、棒網を利用してウニなどの侵入や施設外ヘの逸脱防止をしている。しかし、空気溜りによる施設では、空気が海水中ヘ溶解していくことや、波浪による水圧の変化などによって、空気溜り内部で空気が大きく動揺し流出してしまうなどの問題がある。【解決手段】海中の衝壁物上部の片側または両側にポケット部を設け、ポケット部には低比重粒子または低比重液体を充填するよう構成されている。【選択図】        図１
2004305094.tif 000002
【特許請求の範囲】
【請求項１】
海中の衝壁物上部の片側または両側に、下側が開放されたポケット部の構造を設け、当該ポケット部には低比重粒子または低比重液体を充填するよう構成したことを特徴とするウニ、アワビ、ツブ、ヒトデなどの匍匐性動物の移動制御施設体。
【請求項２】
海中の衝壁物上部の片側または両側に、下側が開放されたポケット部の構造を設け、当該ポケット部の下端には外方へ向け水平板が連設され、ポケット部には低比重粒子または低比重液体を充填するよう構成したことを特徴とするウニ、アワビ、ツブ、ヒトデなどの匍匐性動物の移動制御施設体。
【請求項３】
請求項１あるいは請求項２記載のウニ、アワビ、ツブ、ヒトデなどの匍匐性動物の移動制御施設体を連接することで囲まれた区域あるいは仕切られた区域を形成するよう構成されていることを特徴とするウニ、アワビ、ツブ、ヒトデなどの匍匐性動物の移動制御施設。
【発明の詳細な説明】
【０００１】
【発明の属する技術分野】
本発明は、ウニ、アワビ、ツブ、ヒトデなどの匍匐性動物の移動制御施設体と、ウニ、アワビ、ツブ、ヒトデなどの匍匐性動物の移動制御施設に関するものである。
この施設で囲まれた磯焼け海域では、ウニ、アワビなどの侵入を防止することで海藻群落が再生できる他、ウニ、アワビの稚仔をこの施設内に放流した場合、ヒトデなどの食害生物が侵入し、食害を受けないようにすることができる。
【０００２】
【従来の技術】
従来、磯焼け海域では匍匐性動物のウニなどの食圧を防ぎ、海藻群落を再生させる場合、ウニやアワビの養殖施設は、衝壁物の上部に下側が開放されたポケット状の空気溜りを有する施設のほか、電気柵、棒網などによって周囲を囲み、施設内への侵入や施設外ヘの逸脱防止を提案している。
【０００３】
【発明が解決しようとする課題】
従来の技術で述べたものにあっては、下記のような問題点を有していた。
Ａ．空気溜りによる匍匐性動物の移動制御施設体では、空気が海水中ヘ溶解していくことや、波浪による水圧の変化と流速の上昇によって、空気溜り内部で空気が大きく動揺し流出してしまう。このため陸上に供給施設が必要だったり、ダイバーなどによる充填作業などメンテナンスの回数が多く必要となっている。
Ｂ．電気柵の場合、陸上からの電力の供給がなくては効果が得られないと共に、施設の維持費が大きく掛かる。
Ｃ．棒網の場合、網への付着物によって効果が持続しなかったり、波浪に弱く、ダイバーによるメンテナンスを何度も行わなければならない。
【０００４】
本発明は、従来の技術が有するこのような問題点に対応するため、以下の事項に留意した。
Ａ．衝壁物の上部に設けた下側が開放されたポケット部に充填された低比重粒子や低比重液体が、流出しないような構造とし、陸上からの補充やダイバーなどによるメンテナンスをする必要が極力少なくなるようにすること。
Ｂ．ポケット部内に充填した低比重粒子や低比重液体が、波浪による水圧の急激な変化や流速の増加に伴う水粒子の大きな動きに対して影響を大きく受けることがないこと。
Ｃ．ポケット部内に充填した低比重粒子や低比重液体が、海水中へ溶解しないこと。
Ｄ．匍匐性動物のウニなど植食動物の移動を制御することによって、磯焼け海域に持続的にコンブ群落を再生することが可能となること。
【０００５】
【課題を解決するための手段】
上記目的を達成するために、本発明は下記のようになるものである。
すなわち、
請求項１記載の発明は、海中の衝壁物上部の片側または両側に、下側が開放されたポケット部の構造を設け、当該ポケット部には低比重粒子または低比重液体を充填するよう構成したことを特徴とするものである。
【０００６】
請求項２記載の発明は、海中の衝壁物上部の片側または両側に、下側が開放されたポケット部の構造を設け、当該ポケット部の下端には外方へ向け水平板が連設され、ポケット部には低比重粒子または低比重液体を充填するよう構成したことを特徴とするものである。
【０００７】
請求項３記載の発明は、請求項１あるいは請求項２記載の発明を連接することで囲まれた区域あるいは仕切られた区域を形成するよう構成されていることを特徴とするものである。
【０００８】
【発明の実施の形態】
以下、本発明の実施の形態を実施例にもとづき図面を参照して説明する。
１は第１発明のウニ、アワビ、ツブ、ヒトデなどの匍匐性動物の移動制御施設体で、海中の地盤上に密接状態で起立される縦壁状の衝壁物１Ａと、衝壁物における上部の一方側に設けられた断面略逆Ｌ状の小壁１Ｂ１で構成された下側が解放されている一方ポケット部１Ｂと、一方ポケット部内に充填された低比重粒子または低比重液体１Ｃから構成されている。
【０００９】
１イは第２発明のウニ、アワビ、ツブ、ヒトデなどの匍匐性動物の移動制御施設で、第１発明のウニ、アワビ、ツブ、ヒトデなどの匍匐性動物の移動制御施設体１を連接することで囲まれた区域あるいは仕切られた区域１ロを形成するよう構成されている。
【００１０】
１１は第３発明のウニ、アワビ、ツブ、ヒトデなどの匍匐性動物の移動制御施設体で、海中の地盤上に密接状態で起立される縦壁状の衝壁物１Ａと、衝壁物における上部の一方側に設けられた断面略逆Ｌ状の小壁１Ｂ１で構成された下側が解放されている一方ポケット部１Ｂと、一方ポケット部内に充填された低比重粒子または低比重液体１Ｃから構成され、衝壁物１Ａにおける上部の他方側に設けられた断面略逆Ｌ状の小壁１Ｄ１で構成された下側が解放されている他方ポケット部１Ｄと、他方ポケット部内に充填された低比重粒子または低比重液体１Ｅから構成されている。
【００１１】
１１イは第４発明のウニ、アワビ、ツブ、ヒトデなどの匍匐性動物の移動制御施設で、第３発明のウニ、アワビ、ツブ、ヒトデなどの匍匐性動物の移動制御施設体１１を連接することで囲まれた区域あるいは仕切られた区域１１ロを形成するよう構成されている。
【００１２】
２は第５発明のウニ、アワビ、ツブ、ヒトデなどの匍匐性動物の移動制御施設体で、海中の地盤上に密接状態で起立される縦壁状の衝壁物２Ａと、衝壁物における上部の一方側に設けられた断面略逆Ｌ状の小壁２Ｂ１で構成された下側が解放されている一方ポケット部２Ｂと、一方ポケット部の下端に外方に向け連設された水平板２Ｃと、一方ポケット部内に充填された低比重粒子または低比重液体２Ｄから構成されている。
【００１３】
２イは第６発明のウニ、アワビ、ツブ、ヒトデなどの匍匐性動物の移動制御施設で、第５発明のウニ、アワビ、ツブ、ヒトデなどの匍匐性動物の移動制御施設体２を連接することで囲まれた区域あるいは仕切られた区域２ロを形成するよう構成されている。
【００１４】
２２は第７発明のウニ、アワビ、ツブ、ヒトデなどの匍匐性動物の移動制御施設体で、海中の地盤上に密接状態で起立される縦壁状の衝壁物２Ａと、衝壁物における上部の一方側に設けられた断面略逆Ｌ状の小壁２Ｂ１で構成された下側が解放されている一方ポケット部２Ｂと、一方ポケット部の下端に外方に向け連設された水平板２Ｃと、一方ポケット部内に充填された低比重粒子または低比重液体２Ｄから構成され、衝壁物２Ａにおける上部の他方側に設けられた断面略逆Ｌ状の小壁２Ｅ１で構成された下側が解放されている他方ポケット部２Ｅと、他方ポケット部の下端に外方に向け連設された水平板２Ｆと、他方ポケット部内に充填された低比重粒子または低比重液体２Ｇから構成されている。
【００１５】
２２イは第８発明のウニ、アワビ、ツブ、ヒトデなどの匍匐性動物の移動制御施設で、第７発明のウニ、アワビ、ツブ、ヒトデなどの匍匐性動物の移動制御施設体２２を連接することで囲まれた区域あるいは仕切られた区域２２ロを形成するよう構成されている。
【００１６】
Ａ．低比重粒子または低比重液体１Ｃ、１Ｅ、２Ｄ、２Ｇの具体的構成について説明する。
ａ．低比重粒子としては、例えば発泡スチロールの原料となる発泡ビーズやコルク粒などを用いる。
ｂ．低比重液体としては、例えば淡水、油などを用いる。
Ｂ．低比重粒子または低比重液体の作用は下記の通りである。
ａ．低比重粒子や低比重液体は気体ではないので、水圧の変化を受けないため大きく動揺することがないことから、陸上に供給施設が必要ない。
この点、空気などの気体は海水中へ溶解していくことになる。
ｂ．低比重粒子は、匍匐性動物の自重を支えるだけの支持力（浮力）がないため、ポケット部内の上部に溜まっている低比重粒子下面を伝わって行くことができないため、衝壁物を越えて移動することができない。
ｃ．低比重液体の場合は、匍匐性動物は海水とは異なるために低比重液体中へ侵入することがないため、衝壁物を越えて移動することはできない。
【００１７】
【実施例】
さらに、以下のような条件で実験した結果、極めて良好な結果が得られた。
地盤の凹凸に本発明のウニ、アワビ、ツブ、ヒトデなどの匍匐性動物の移動制御施設体を密着して設置するためには、当該施設の下部には高さが一定になるように調整台４を設置し、施設と地盤との空隙を埋めるために、割石や水中コンクリートを投入して、施設の耐波性と匍匐性動物が施設の下部から侵入することを防ぐことができる。
【００１８】
【発明の効果】
本発明は、上述の通り構成されているので次に記載する効果を奏する。
１．第１発明、第２発明、第３発明、第４発明の場合
Ａ．匍匐性動物の移動を制御することができる。
Ｂ．衝壁物上部のポケット部に充填するものが低比重粒子や低比重液体のため、海水中へ溶解して減少し当該低比重粒子や低比重液体の補充が必要となることがない。
Ｃ．匍匐性動物の食圧による磯焼け地帯では、この衝壁物によって周囲を囲ったり、仕切ることで匍匐性動物の侵入を防ぎ海藻を繁茂させることが可能となる。
特に、北海道の日本海沿岸では、ウニによる食圧が磯焼けの原因となっているため、ウニが侵入しない領域を作ることで海藻類を繁茂させることができる。
この場合、逆にこの衝壁物によって周囲を囲ったり、仕切ることで内部の匍匐性動物の外部への逸脱を防ぐことができる。
すなわち、
ａ．図９を参照して、うに３は管足３Ａによって垂直な縦壁状の衝壁物１Ａを登るが、ポケット部１Ｂ内に充填された低比重粒子に管足を吸着させても、低比重粒子の浮力が小さいので、うに３は落下する。
この結果、下記のようになる。
ｂ．図１０、図１２のように外から内方に入れないが、内方から外へ出ることができる。
ｃ．図１１、図１３のように外から内方に入れないが、内方から外へ出られない。
Ｄ．近年では港湾、漁港施設などの防波堤前面に海藻群落を創造する機能を有しているが、ウニなどの植食動物の食圧によって海藻群落が形成されないなどの問題がある。
この場合、海藻群落を形成させる構造物の前面に、匍匐性動物の移動制御施設体を設置することによって食圧から保護し、海藻群落を形成させることが可能となる。
Ｅ．ウニ、アワビ、ツブ、ヒトデなどの匍匐性動物の移動制御施設体を利用して形成された海藻群落に、ウニ・アワビなどの匍匐性の水産有用種を放流し、成長や身入り改善させることで、漁業対象とならなかったウニ・アワビを漁獲することが可能となり、食圧による磯焼け問題の発生している海域では、食圧の原因となるウニを漁獲することで、ウニの個体数が減少し、海藻群落を形成させることが可能となる。
Ｆ．これまで造成したコンブ増殖場で、匍匐性動物の食圧によって機能が低下している場合は、このウニ、アワビ、ツブ、ヒトデなどの匍匐性動物の移動制御施設体で周囲を囲ったり、仕切ることで匍匐性動物の侵入を防ぎ食圧を押さえ、増殖場の機能改善を図ることができる。
ウニなどの植食生物を管理することで、海藻群落の創造と磯焼けで利用価値のないウニの身入りを改善し、漁獲することができるため、磯焼け対策となる。
【００１９】
２．第５発明、第６発明、第７発明、第８発明の場合
上述第１発明、第２発明、第３発明、第４発明の場合における効果を期待できるほか、下記の効果をさらに期待できる。
ウニ、アワビ、ツブ、ヒトデなどの匍匐性動物の移動制御施設体では、ポケット部の下端に水平板を連設したから、波による水粒子の動きによって低比重粒子や低比重液体が流出しない。
すなわち、ポケット部の形状をＬ字型とすることで、波浪の影響がポケット内部に充填する低比重粒子や低比重液体に伝わりにくく、流出の危険性が少ない。
３．このほか、安価に製造できる、部品点数が少ないので組立が容易である、経済的である、などの効果をも有するものである。
【図面の簡単な説明】
【図１】第１発明の斜視図である。
【図２】第２発明の一部を切欠いた斜視図である。
【図３】第３発明の斜視図である。
【図４】第４発明の一部を切欠いた斜視図である。
【図５】第５発明の斜視図である。
【図６】第６発明の一部を切欠いた斜視図である。
【図７】第７発明の斜視図である。
【図８】第８発明の一部を切欠いた斜視図である。
【図９】作用を説明する拡大縦断面図である。
【図１０】第１発明、第２発明の作用を説明する縦断面図である。
【図１１】第３発明、第４発明の作用を説明する縦断面図である。
【図１２】第５発明、第６発明の作用を説明する縦断面図である。
【図１３】第７発明、第８発明の作用を説明する縦断面図である。
【符号の説明】
１  第１発明のウニ、アワビ、ツブ、ヒトデなどの匍匐性動物の移動制御施設体
１Ａ  衝壁物
１Ｂ  ポケット部
１Ｂ１  小壁
１Ｃ  低比重粒子または低比重液体
１イ  第２発明のウニ、アワビ、ツブ、ヒトデなどの匍匐性動物の移動制御施設
１１  第３発明のウニ、アワビ、ツブ、ヒトデなどの匍匐性動物の移動制御施設体
１１イ  第４発明のウニ、アワビ、ツブ、ヒトデなどの匍匐性動物の移動制御施設
２  第５発明のウニ、アワビ、ツブ、ヒトデなどの匍匐性動物の移動制御施設体
２イ  第６発明のウニ、アワビ、ツブ、ヒトデなどの匍匐性動物の移動制御施設
２２  第７発明のウニ、アワビ、ツブ、ヒトデなどの匍匐性動物の移動制御施設体
２２イ  第８発明のウニ、アワビ、ツブ、ヒトデなどの匍匐性動物の移動制御施設
【図１】
2004305094.tif 000003
【図２】
2004305094.tif 000004
【図３】
2004305094.tif 000005
【図４】
2004305094.tif 000006
【図５】
2004305094.tif 000007
【図６】
2004305094.tif 000008
【図７】
2004305094.tif 000009
【図８】
2004305094.tif 000010
【図９】
2004305094.tif 000011
【図１０】
2004305094.tif 000012
【図１１】
2004305094.tif 000013
【図１２】
2004305094.tif 000014
【図１３】
2004305094.tif 000015